(57)【要約】【課題】  複数種のフラッシュメモリ及びＰＣカードを同一のケースに収容できながら、しかもサイズがそれほど大きくなることのないフラッシュメモリ及びＰＣカード収容ケースを提供すること。【解決手段】  表裏両面にフラッシュメモリ及びＰＣカードを収容し得る第１の収容部１１及び第２の収容部１２が形成されたケース本体１と、ケース本体１の第１および第２の収容部１１，１２を開閉可能にする蓋体２，３と、を有するフラッシュメモリ及びＰＣカード収容ケースである。第１収容部１１と第２収容部１２が、底部材１５によって遮断されており、第１収容部１１を開閉する第１の蓋体２がケース本体１の一側部に開閉可能に取り付けられ、第２収容部１２を開閉する第２の蓋体４がケース本体１の一側部に開閉可能に取り付けられている。【選択図】  図１
2005035652.tif 000002
【特許請求の範囲】
【請求項１】
表裏両面にフラッシュメモリ及びＰＣカードを収容し得る第１の収容部及び第２の収容部が形成されたケース本体と、該ケース本体の第１および第２の収容部を開閉可能にする蓋体と、を有するフラッシュメモリ及びＰＣカード収容ケースであって、
該第１収容部と該第２収容部が、一つの底部材によって遮断されており、
該第１収容部を開閉する第１の蓋体がケース本体の一側部に開閉可能に取り付けられ、該第２収容部を開閉する第２の蓋体がケース本体の一側部に開閉可能に取り付けられているフラッシュメモリ及びＰＣカード収容ケース。
【請求項２】
前記ケース本体の他側部に、外周面が突曲する係合部が設けられ、前記蓋体の端部に、該係合部に係合し得るフックが設けられている請求項１に記載のフラッシュメモリ及びＰＣカード収容ケース。
【請求項３】
前記ケース本体の一側部の両側に、軸受けがそれぞれ突設され、該軸受けに該第１蓋体および該第２蓋体が回動可能に軸着されている請求項１に記載のフラッシュメモリ及びＰＣカード収容ケース。
【発明の詳細な説明】
【技術分野】
【０００１】
本発明は、デジタルカメラ用フラッシュメモリ及びＰＣカードを収容するためのフラッシュメモリ及びＰＣカード収容ケースに関する。
【背景技術】
【０００２】
フラッシュメモリおよびＰＣカードを収容するケースが従来から市販されているが、従来のケースはそのサイズが比較的大きく改良の余地があった。
【発明の開示】
【発明が解決しようとする課題】
【０００３】
本発明は、上記の実情に着目してなされたものであり、その目的とするところは、複数種のフラッシュメモリ及びＰＣカードを同一のケースに収容できながら、しかもサイズがそれほど大きくなることのないフラッシュメモリ及びＰＣカード収容ケースを提供することにある。
【課題を解決するための手段】
【０００４】
本発明のフラッシュメモリ及びＰＣカード収容ケースは、表裏両面にフラッシュメモリ及びＰＣカードを収容し得る第１の収容部及び第２の収容部が形成されたケース本体と、該ケース本体の第１および第２の収容部を開閉可能にする蓋体と、を有するフラッシュメモリ及びＰＣカード収容ケースであって、該第１収容部と該第２収容部が、一つの底部材によって遮断されており、該第１収容部を開閉する第１の蓋体がケース本体の一側部に開閉可能に取り付けられ、該第２収容部を開閉する第２の蓋体がケース本体の一側部に開閉可能に取り付けられており、そのことにより上記目的が達成される。
【０００５】
一つの実施形態では、前記ケース本体の他側部に、外周面が突曲する係合部が設けられ、前記蓋体の端部に、該係合部に係合し得るフックが設けられている。
【０００６】
一つの実施形態では、前記ケース本体の一側部の両側に、軸受けがそれぞれ突設され、該軸受けに該第１蓋体および該第２蓋体が回動可能に軸着されている。
【０００７】
本発明の作用は以下の通りである。
【０００８】
表裏両面にフラッシュメモリ及びＰＣカードを収容し得る第１の収容部及び第２の収容部が形成されたケース本体と、該ケース本体の第１および第２の収容部を開閉可能にする蓋体と、を有し、該第１収容部と該第２収容部が、一つの底部材によって遮断されていることにより、この底部材を第１収容部と第２収容部の底部材として共用でき、そのためケースの厚みを薄くでき、また構造を簡略化できる。
【０００９】
さらに、第１収容部を開閉する第１蓋体と、第２収容部を開閉する第２蓋体がそれぞれケース本体の一側部に開閉可能に取り付けられていることにより、両蓋体をケース本体に止めるための係合部を、ケースの他側部に共通して設けることができ、ケースの構造がさらに簡略化できる。また、第１の収容部及び第２の収容部用の蓋体を同一形状の部材で形成できるので、部品点数が減り、生産コストを低減できる。
【発明の効果】
【００１０】
本発明によれば、デジタルカメラ用のフラッシュメモリ及びＰＣカードを同一のケースに収容でき、しかもサイズがそれほど大きくなることがない。また、ケースの構造が簡略化でき、生産コストも低減できる。
【発明を実施するための最良の形態】
【００１１】
以下、本発明を図面を参照して説明する。
【００１２】
図１〜図８に示すように、フラッシュメモリ及びＰＣカード収容ケースＡは、表裏両面にＰＣカードを収容し得る第１の収容部１１およびデジタルカメラ用フラッシュメモリを収容し得る第２の収容部１２が形成された略直方体のケース本体１と、該ケース本体１の第１および第２の収容部１１，１２を開閉可能にする蓋体２，３と、を有する。
【００１３】
ケース本体１は合成樹脂にて形成され、その表面側に矩形状の凹部が形成されて第１収容部１１となり、ケース本体１の裏面側に矩形状の凹部が形成されて第２収容部１２となっている。第１収容部１１には傾斜面１１ａが形成され、指先でＰＣカードの取り出しが容易にできるようになっており、また第２収容部１２には傾斜面１２ａが形成され、指先でフラッシュメモリの取り出しが容易にできるようになっている。ケース本体１はホコリの付着を防止するために帯電防止処理することが好ましい。
【００１４】
該第１収容部１１と該第２収容部１２は一つの底部材１５によって遮断されている。すなわち、この底部材１５の片面が第１収容部１１の底面となり、底部材１５の他面が第２収容部１２の底面となっている。この第１および第２収容部１１，１２の形状およびサイズは、そこに収容されるＰＣカードおよびフラッシュメモリのサイズに応じて種々変更できる。この実施例では第１収容部１１にＰＣカードを入れるための比較的大きいサイズの凹部が形成され、第２収容部１２に２つのメモリを入れるために仕切り１４が突設されて２つの凹部が形成されている。
【００１５】
該第１収容部１１を開閉する第１の蓋体２がケース本体１の一側部に開閉可能に取り付けられ、該第２収容部１２を開閉する第２の蓋体３がケース本体１の一側部に開閉可能に取り付けられている。具体的には、ケース本体１の一側部の両側に、軸受け１７，１８が２つそれぞれ突設され、該軸受け１７、１８に該第１蓋体２および該第２蓋体３が回動可能に軸着されている。蓋体２，３はアルミニウム板等の金属板や合成樹脂板にて形成することができる。ケース本体１の他側部に外周面が突曲する係合部１３が設けられている。
【００１６】
該蓋体２，３の開閉側の端部に、係合部１３に係合し得るフック４，５が設けられている。このフック４，５は、蓋体２，３の片側の端部（隅部）をケース本体１側へ湾曲して形成され、フック４，５の弾性変形によってフック４，５を上記ケース本体１の係合部１３へ係合可能となっている。
【００１７】
図６に示すように、フック４，５は蓋体２，３の片側に設けられているので、第１の蓋体２と第２の蓋体３とをそれぞれケース本体１の係合部１３へ係合したときに、互いに接触することがなく、またケース本体１に設けた同一の係合部１３に第１および第２の蓋体２，３のフック４，５を係合させることができる。
【００１８】
第１および第２の蓋体２，３のフック４，５の先端には蓋体２，３をケース本体１から開くための爪４ａ，５ａが設けられている。これら第１および第２の蓋体２，３は同一形状に形成され、従って同一の蓋体を第１および第２の蓋体２，３に使用できるので、部品点数を低減できる。
【００１９】
本発明のケースＡには、その片面側の第１収容部１１にＰＣカードが収容され、他面側の第２収容部１２にフラッシュメモリが収容される。各収容部１１，１２の底部は共通の底部材１５で形成されるので、ケースＡの厚みを薄くでき、また構造も簡略化および軽量化できる。
【図面の簡単な説明】
【００２０】
【図１】本発明のフラッシュメモリ及びＰＣカード収容ケースの一実施形態のＰＣカード収容部側の斜視図である。
【図２】図１で示すケースのフラッシュメモリ収容部側の斜視図である。
【図３】図１で示すケースの平面図である。
【図４】図３のＩＶ−ＩＶ’線断面図である。
【図５】図１で示すケースの底面図である。
【図６】図１で示すケースの正面図である。
【図７】図１で示すケースの側面図である。
【図８】図１で示すケースの背面図である。
【符号の説明】
【００２１】
１    ケース本体
２    第１の蓋体
３    第２の蓋体
４    フック
５    フック
１１  第１収容部
１２  第２収容部
１３  係合部
１５  底部材
Ａ    フラッシュメモリ及びＰＣカード収容ケース
【図１】
2005035652.tif 000003
【図２】
2005035652.tif 000004
【図３】
2005035652.tif 000005
【図４】
2005035652.tif 000006
【図５】
2005035652.tif 000007
【図６】
2005035652.tif 000008
【図７】
2005035652.tif 000009
【図８】
2005035652.tif 000010